(57)【要約】【課題】遊技者の視覚に訴える力を高める。【解決手段】始動入賞部品１０への球の入賞に伴う制御装置７での抽選処理の結果として当たりが抽選されている場合は、図柄表示器１６による図柄変動の開始から確定図柄が当たり図柄で揃うまでの過程において、制御装置７が電気シャッター１９を遮光形態から透過形態に切り替えるとともに可動演出部品２０の演出駆動機構３３を駆動することで、遊技者が図柄表示器１６による画像として変動する図柄と可動演出部品２０で表示される可動式キャラクタ、固定式フィギアによる上記図柄変動に合わせた動きの演出とを堪能することができる。【選択図】        図１
2004159881.tif 000002
【特許請求の範囲】
【請求項１】
図柄表示器による図柄変動を伴う遊技機において、図柄変動に合わせた演出を行う可動演出部品と、遊技状況により可動演出部品を隠顕し得るシャッターとを備え、当該シャッターが電気エネルギーの変化による物性の可逆的な変化で透過・遮光形態に切り替えられる電気シャッターにより形成されたことを特徴とする遊技機。
【請求項２】
可動演出部品を照明するバックライト光源を備えたことを特徴とする請求項１記載の遊技機。
【請求項３】
可動演出部品と電気シャッターとを格納するカバーの内面が白色系被膜で覆われたことを特徴とする請求項１記載の遊技機。
【発明の詳細な説明】
【０００１】
【発明の属する技術分野】
本発明はパチンコ機やスロットマシンなどのような図柄表示器による図柄変動を伴う遊技機であって、とりわけ、図柄変動に合う演出を可動演出部品で行う遊技機に関する。
【０００２】
【従来の技術】
従来のパチンコ機は球の図柄始動入賞部品への入賞で抽選処理および図柄表示器による図柄変動を開始した後に抽選結果を反映すべく停止し、抽選結果として当たりが抽選されている場合は上記図柄表示器による停止した確定図柄が当たり図柄で揃った後に、アタッカーや大入賞口と呼ばれる可変入賞装置の開閉体を開放して遊技者に賞品として賞球を多量に払い出している。（例えば、特許文献１参照）。
【０００３】
【特許文献１】
特開平７−１３２１６７号公報（第１頁、要約、図１８）
【０００４】
【発明が解決しようとする課題】
しかしながら、前記従来例は図柄変動の妙で遊技者に訴える構造であるため、遊技者の視覚に訴える力が低く、遊技性に欠けるという問題点があった。そのようなことから、図柄表示器の側部に可動演出部品を設け、可動演出部品を図柄変動に合わせて動かして演出することも考えられるが、図柄変動していない遊技中でも、静止している可動演出部品が遊技者から見えるので、遊技者に与える可動演出部品による演出動作によるインパクトが小さくにわかに採用しがたいものである。
【０００５】
そこで、本発明は遊技者の視覚に訴える力を高めて遊技性を向上することができる遊技機を提供するものである。
【０００６】
【課題を解決するための手段】
本発明にあっては、図柄表示器による図柄変動を伴う遊技機において、図柄変動に合わせた演出を行う可動演出部品と、遊技状況により可動演出部品を隠顕し得るシャッターとを備え、当該シャッターが電気エネルギーの変化による物性の可逆的な変化で透過・遮光形態に切り替えられる電気シャッターにより形成されたことによって、シャッターが可動演出部品を隠す遮光形態になることで、遊技者が遊技機を前側から見た場合、遊技者は図柄表示器による図柄変動を適切に見ることができ、シャッターが可動演出部品を見せるような透過形態になることで、遊技者は図柄表示器による図柄変動と可動演出部品による図柄変動に合った動きの演出とを見ることができ、よって、図柄変動していない遊技中には静止している可動演出部品が遊技者から見えなくなり、可動演出部品が図柄変動に合った動きの演出を行う場合に、可動演出部品の演出が遊技者から見えることになり、遊技者に与える可動演出部品による演出動作によるインパクトを大きくすることができ、遊技性を向上することができる。また、本発明にあっては、可動演出部品を照明するバックライト光源を備えれば、バックライト光源からの照明光で可動演出部品の演出動作を明るく見せて、遊技性を一層向上することができる。また、本発明にあっては、可動演出部品と電気シャッターとを格納するカバーの内面が白色系被膜で覆われれば、バックライト光源からの照明光による可動演出部品の演出動作を一層明るく照明表示することができる。
【０００７】
【発明の実施の形態】
図１−図３は一実施形態であって、図１はパチンコ機を模式的に示し、図２は可動演出表示部１７の分解した外観を示し、図３は可動演出表示部１７の縦方向に切断した断面を示す。
【０００８】
図１を参照し、パチンコ機について説明する。パチンコ機の遊技機枠１は前面にガラスのような透過性パネル２、皿３、ハンドルグリップと呼ばれる球発射操作機構４を備え、内部に球発射機構５や遊技主体である遊技盤６を備え、遊技機枠１の裏側または遊技盤６の裏側に制御装置７を備える。遊技盤６が遊技機枠１に格納された場合、遊技盤６の前面である意匠盤面にガイドレール８で囲まれた内側の遊技領域９は遊技機枠１の前側から透過性パネル２を通して視認し得る。遊技領域９には始動入賞部品１０、可変入賞部品１１、センター部品１２を備える。センター部品１２は遊技領域９に上部中央から左右に分かれた後に再び中央に寄るような球の流れを作る遊技部品であって、前方に開放された中央凹部１４の後部を形成する透過性保護体１５の裏側には図柄表示器１６が配置される。図柄表示器１６の表示画面は遊技機枠１の前側つまりパチンコ機の前側から透過性パネル２および透過性保護体１５を通して見える。図示は省略したが、遊技領域９には障害釘とも呼ばれる遊技釘、ハートと呼ばれるアウト口、風車、ランプ風車、サイドランプ、賞球ランプ、完了ランプなどの部品も備える。
【０００９】
センター部品１２の中央凹部１４の一側である右側には可動演出表示部１７が設けられる。可動演出表示部１７の前壁１８には電気シャッター１９が設けられる。可動演出表示部１７における電気シャッター１９の裏側に形成された収納空間には可動演出部品２０を備える。電気シャッター１９は電圧の変化や極性の変化などのような電気エネルギーの変化による物性の可逆的な変化で透過・遮光形態に切り替えられる調光フィルターや高分子液晶フィルターと呼ばれるものである。そして、本実施形態では、制御装置７から電気シャッター１９に供給される電圧が低下していることから、電気シャッター１９の高分子材料が物性の可逆的な変化で曇りガラスのような遮光形態となり、遊技者はパチンコ機の前側から電気シャッター１９で視界を遮られて点線で示す可動演出部品２０を視認することができない。また、図柄表示器１６による図柄変動に合わせた演出を行う場合、制御装置７から電気シャッター１９に供給される電圧を高くすることで、電気シャッター１９の高分子材料が物性の可逆的な変化で素通しガラスのような透過形態となり、遊技者はパチンコ機の前側から電気シャッター１９を通して可動演出部品２０を図１の右側に仮想線で引き出して実線で図示したように視認することができる一方、可動演出部品２０が制御装置７からの出力で図柄変動に合わせた演出を行うように動くので、当該可動演出部品２０の演出動作を遊技者がパチンコ機の前側から透過性パネル２および電気シャッター１９を通して堪能することができる。
【００１０】
図２を参照し、可動演出表示部１７の内部構造について説明する。可動演出表示部１７の前壁１８はセンター部品１２における中央凹部１４の前面開口縁から外側横方向に連接した形態であって、前壁１８には前後方向に貫通した開口部２１が形成され、前壁１８における開口部２１周りの裏面にはシャッター取付部２２と演出部品搭載台２３および図３に示すカバー取付部２４を備える。シャッター取付部２２は先端部に突出したフック２５を備え、フック２５と前壁１８における開口部２１周りの裏面とが電気シャッター１９およびシャッター枠体２６とを支持する。電気シャッター１９は板状高分子体の両端部に一対の電極２７を備え、それらの電極２７の間に供給される電圧を変化させると、高分子体が物性の可逆的な変化で素通しガラスのような透過形態となり、上記電極２７間に供給する電圧を低下すると、高分子体が物性の可逆的な変化で曇りガラスのような遮光形態に切り替えられる。
【００１１】
シャッター枠体２６は電気シャッター１９における電極２７の間に存在する有効面部よりもひとまわり小さいかまたは同等の大きさの開口２８を囲む合成樹脂のような電気絶縁材からなる額縁状であって、電気シャッター１９の電極２７と対応する両端部に端子取付部２９を備える。端子取付部２９はシャッター枠体２６の外側から内側に窪む複数の凹部と凹部間に存在する複数の凸部とが交互に配置された形態である。電気シャッター１９の電極２７と図１の制御装置７とを接続する２本の配線３１の端部には矩形板状の電気端子３２を備える。一方の電気端子３２はシャッター枠体２６の一方の端子取付部２９における凹部と凸部とを前後に交互に行き交うような波形に嵌めこまれることで一方の端子取付部２９に装着される。他方の電気端子３２はシャッター枠体２６の他方の端子取付部２９における凹部と凸部とを前後に交互に行き交うような波形に嵌めこまれることで一方の端子取付部２９に装着される。これらの電気端子３２の端子取付部２９への取付姿勢は図３参照。演出部品搭載台２３の上に可動演出部品２０が取り付けられる。可動演出部品２０は演出部品搭載台２３に取り付けられた状態において、制御装置７からの出力で制御されるステップモーターを動力する演出駆動機構３３を備える。
【００１２】
可動演出表示部１７への電気シャッター１９とシャッター枠体２６および電気端子３２などの部品取付について説明する。電気端子３２がシャッター枠体２６の端子取付部２９に個別に取り付けられた後、端子取付部２９と電気シャッター１９の電極２７とが互いに個別に重ね合わされて、電気端子３２のシャッター枠体２６から前側に突出する部分と電極２７とが互いに接触した状態で、電気シャッター１９とシャッター枠体２６と電気端子３２とからなる構成体がひとつのまとまりとして可動演出表示部１７の裏側からシャッター取付部２２に装着される。その装着過程において、電気シャッター１９の周縁部とシャッター枠体２６の周縁部とがシャッター取付部２２を外側に撓ませつつフック２５を裏側から前側に超えると、シャッター取付部２２が自身の弾性で元の状態に戻ろうと復帰し、そのシャッター取付部２２の復元弾性で、フック２５がシャッター枠体２６の周縁部を裏側から前側に押圧し、電気シャッター１９の周縁部の前面が可動演出表示部１７の前壁１８における開口部２１周りの裏面に接触し、電気シャッター１９とシャッター枠体２６と電気端子３２とからなるひとつのまとまりとなった構成体がシャッター取付部２２によって上下左右に移動不能となって可動演出表示部１７の前壁１８に取り付けられる。その後、可動演出部品２０が演出部品搭載台２３に取り付けられることで、可動演出表示部１７周りは図３に示す形態となる。
【００１３】
図３を参照し、可動演出表示部１７の全体構造について説明する。前記のように電気シャッター１９とシャッター枠体２６と電気端子３２および可動演出部品２０などの部品が可動演出表示部１７に取り付けられた後において、前方開放状の箱形の合成樹脂からなる遮光性を有するカバー３５がそれの内部空間に上記部品を格納するように可動演出表示部１７の前壁１８に裏側から被せられ、図外の止ねじがカバー３５に形成された図外の取付足の貫通孔からカバー取付部２４に締結されることで、カバー３５が可動演出表示部１７に取り付けられる。カバー３５の内面または演出部品搭載台２３にはカバー３５が可動演出表示部１７に取り付けられる以前において、図１の制御装置７からの出力で点灯制御されるバックライト光源３６が取り付けられる。バックライト光源３６における図外の配線や電気シャッター１９の配線３１はカバー３５に形成された図外の配線孔からカバー３５の外部に引き出されて制御装置７の出力部に接続される。カバー３５の内面は白色系塗料のような白色系被膜３７で覆われる。このようにカバー３５の内面に白色系被膜３７を形成すれば、白色系被膜３７がバックライト光源３６からの照射光を反射してカバー３５の内部空間や可動演出部品２０を明るく照明することができる。
【００１４】
本実施形態の構造によれば、図１に示す遊技機枠１の内部に遊技盤６が格納され、制御装置７が電力供給で起動し、皿３に球を入れた状態において、遊技者が球発射操作機構４を操作すると、球発射機構５が皿３から供給された球を１個ずつ遊技盤６の遊技領域９に向けて発射する。遊技領域９に発射された球が透過性パネル２と遊技領域９との間の空間を飛び交いつつ始動入賞部品１０に入賞すると、始動入賞部品１０に入賞した球を検出した球検出器４１が始動入賞信号を制御装置７に出力する。すると、制御装置７に格納されたマイクロコンピュータが当たり外れの抽選を実行するとともに、抽選の結果を制御装置７のＲＡＭのようなメモリに記憶する一方、図柄表示器１６に図柄変動を指示する。抽選は当たり、外れ以外に確変、時短、演出パターンなどの遊技も決める。
【００１５】
図柄表示器１６での図柄変動が開始した後、制御装置７は抽選結果を反映すべく図柄表示器１６に図柄変動停止を指示する。例えば、抽選処理の結果として外れが抽選されている場合は、図柄表示器１６で停止した確定図柄が当たり図柄以外となった後に図柄始動入賞に伴う当たり遊技を行わない。抽選処理の結果として当たりが抽選されている場合は、図柄表示器１６で停止した確定図柄が当たり図柄で揃う過程において、制御装置７が電気シャッター１９を遮光形態から透過形態に切り替えるとともに可動演出部品２０の演出駆動機構３３を駆動する。これによって、遊技者が図柄表示器１６による画像として変動する図柄と可動演出部品２０で表示される可動式キャラクタ、固定式フィギアによる上記図柄変動に合わせた動きの演出とを堪能することができる。その後、電気シャッター１９が透過形態から遮光形態に切り替わった後に、制御装置７が図柄表示器１６による図柄変動を停止することで、図柄表示器１６で停止した確定図柄が当たり図柄で揃うように表示されれば、図柄表示器１６での図柄変動中に可動演出部品２０での演出を見ることで確定図柄が当たりとなることを遊技者に知らせることができる。そして、図柄表示器１６による確定図柄が当たり図柄で揃った後、制御装置７が当たり処理で可変入賞部品１１の開閉駆動源４２を駆動し、開閉駆動源４２が可変入賞部品１１の開閉体４３を所定回数または所定時間だけ開閉する。
【００１６】
また、抽選結果として外れが抽選されている場合には、図柄表示器１６による図柄変動を開始した後、電気シャッター１９が遮光形態のまま、図柄表示器１６が図柄変動を停止するので、遊技者が可動演出部品２０での演出を見ることがないことで遊技者に確定図柄が外れとなることを知らせることができる。
【００１７】
また、図柄表示器１６で図柄の変動表示を開始した後、抽選結果としての確変、時短、演出パターンなどに合わせて、電気シャッター１９が遮光形態から透過形態への切り替わりの周期を変えることで、可動演出部品２０による演出が見えたり見えなくなったりした後に、図柄表示器１６による図柄変動を確定すれば、図柄表示器１６での図柄変動中に可動演出部品２０での演出の見える時間の変化で確定図柄が確変や時短などの当たりとなることを遊技者に知らせることができる。
【図面の簡単な説明】
【図１】一実施形態のパチンコ機を示す模式図。
【図２】同実施形態の可動演出表示部を示す分解斜視図。
【図３】同実施形態の可動演出表示部を示す縦断面図。
【符号の説明】
１６  図柄表示器
１９  電気シャッター
２０  可動演出部品
３５  カバー
３６  バックライト光源
３７  白色系被膜
【図１】
2004159881.tif 000003
【図２】
2004159881.tif 000004
【図３】
2004159881.tif 000005